(57)【特許請求の範囲】
【請求項１】
電線（２）が巻回される環状の巻線部（３ａ）を挟んで対向する一対の鍔部（３Ｃ，３Ｂ）が形成されたボビン（３）と、前記一対の鍔部（３Ｃ，３Ｂ）を構成する第１の鍔部（３Ｃ）と第２の鍔部（３Ｂ）におけるそれぞれの上段部（３ｄ，３ｋ）と下段部（３ｅ，３ｂ）との間に介装されたコア（５）と、前記一対の鍔部（３Ｃ，３Ｂ）のそれぞれの下段部（３ｅ，３ｂ）の底面の中心側に立設されたピン（４）とを備え、前記巻線部（３ａ）から引き出された前記電線（２）の端部は、前記第１の鍔部（３Ｃ）の上段部（３ｄ）の上面から引き出され、前記第１の鍔部（３Ｃ）の上段部（３ｄ）の側面の上端へ橋絡し、前記第１の鍔部（３Ｃ）の下段部（３ｅ）の側面の上端へ橋絡して、前記第１の鍔部（３Ｃ）の下段部（３ｅ）の底面に立設されたピン（４）に固定され、複数の系統ごとに巻回された前記電線（２）のうち少なくとも１系統は３層絶縁電線（６）で構成された巻線部品において、前記ピン（４）を立設する方向に並行な部分と、該平行な部分と連続する前記ピン（４）を立設する方向に垂直な部分からなる逆Ｔ字型の下段島部（３ｌ）が前記第１の鍔部（３Ｃ）の下段部（３ｅ）に設けられ、前記第１の鍔部（３Ｃ）の下段部（３ｅ）の側面の上端の中央部から下端に通じる第１の溝（３ｆ）が前記第１の鍔部（３Ｃ）の下段部（３ｅ）の側面に設けられ、前記第１の溝（３ｆ）の沿線長は、前記第１の鍔部（３Ｃ）の下段部（３ｅ）の側面の上端から下端への垂線の長さより長くし、前記電線（２）が前記第１の溝（３ｆ）に沿って配線されたことを特徴とする巻線部品。
【請求項２】
前記第１の鍔部（３Ｃ）の下段部（３ｅ）の側面から前記溝（３ｆ）の底面への垂直直線の距離で定義される前記第１の溝（３ｆ）の深さは、前記３層絶縁電線（６）の直径より長くし、前記第１の鍔部（３Ｃ）の下段部（３ｅ）と前記下段島部（３ｌ）  との間の距離で定義される前記第１の溝（３ｆ）の幅は、前記３層絶縁電線（６）の直径より長くしたことを特徴とする請求項１記載の巻線部品。
【請求項３】
前記第１の鍔部（３Ｃ）の下段部（３ｅ）における下端の側面から前記第１の溝（３ｆ）の底面への垂直直線の距離で定義される前記第１の溝（３ｆ）の下端深さは、前記第１の鍔部（３Ｃ）の下段部（３ｅ）における上端の側面から前記第１の溝（３ｆ）の底面への垂直直線の距離で定義される前記第１の溝（３ｆ）の上端深さより長くしたことを特徴とする請求項１又は請求項２記載の巻線部品。
【請求項４】
前記第１の鍔部（３Ｃ）の下段部（３ｅ）の前記コア（５）に近接する側面の上端にある中央部から前記第１の鍔部（３Ｃ）の下段部（３ｅ）の前記ピン（４）に近接する側面の下端の両側に向かう二つ以上の前記第１の溝（３ｆ）を前記第１の鍔部（３Ｃ）の下段部（３ｅ）の側面に斜設し、前記第１の鍔部（３Ｃ）の下段部（３ｅ）の側面の下端の両側にある前記第１の溝（３ｆ）の両中心点間の最短距離は、前記第１の鍔部（３Ｃ）の下段部（３ｅ）の下面にある２つの前記ピン（４）の立設された点間の最短距離より幅広にしたことを特徴とする請求項１〜３のいずれかに記載の巻線部品。
【請求項５】
前記コア（５）に近接する前記第１の鍔部（３Ｃ）の上段部（３ｄ）の側面にある第２の溝（３ｇ）の底面の高さと前記第１の鍔部（３Ｃ）の下段部（３ｅ）の側面にある前記第１の溝（３ｆ）の底面の高さは、前記コア（５）の側面の高さより高くし、前記コア（５）よりも前記３層絶縁電線（６）側に前記第１の鍔部（３Ｃ）の上段部（３ｄ）と下段部（３ｅ）を突出させたことを特徴とする請求項１〜４のいずれかに記載の巻線部品。
【請求項６】
前記第１の鍔部（３Ｃ）の上段部（３ｄ）の側面から前記第２の溝（３ｇ）の底面への垂直直線の距離で定義される前記第２の溝（３ｇ）の深さは、前記３層絶縁電線（６）の直径より長くし、前記第１の鍔部（３Ｃ）の上段部（３ｄ）にある前記第２の溝（３ｇ）の底面の幅は、前記３層絶縁電線（６）の直径より長くしたことを特徴とする請求項１〜５のいずれかに記載の巻線部品。
【請求項７】
前記第１の鍔部（３Ｃ）の下段部（３ｅ）の側面の下端の両側にある前記第１の溝（３ｆ）と前記第１の鍔部（３Ｃ）の下段部（３ｅ）の下面にある２つの前記ピン（４）とを連結する第３の溝（３ｈ）を前記第１の鍔部（３Ｃ）の下段部（３ｅ）の下面に刻設したことを特徴とする請求項１〜６のいずれかに記載の巻線部品。
【請求項８】
２つの前記ピン（４）の立設された点間の最短距離より前記第１の鍔部（３Ｃ）の下段部（３ｅ）の側面の下端の両側にある前記第１の溝（３ｆ）の両中心点間の最短距離を幅広にして、前記第１の鍔部（３Ｃ）の下段部（３ｅ）の下面に２つの前記ピン（４）を立設したことを特徴とする請求項１〜７のいずれかに記載の巻線部品。
【請求項９】
前記第１の鍔部（３Ｃ）の下段部（３ｅ）の下面の前記第３の溝（３ｈ）のない側に前記ピン（４）を凹設する突起部（３ｊ）を突出させ、前記３層絶縁電線（６）が３タイプの前記第２の溝（３ｇ）、前記第１の溝（３ｆ）、前記第３の溝（３ｈ）を通り、前記ピン（４）に固定させたことを特徴とする請求項１〜８のいずれかに記載の巻線部品。
【発明の詳細な説明】
【技術分野】
【０００１】
本発明は、絶縁トランス等の巻線部品に関する。
【背景技術】
【０００２】
従来、この種の巻線部品として、縦型巻線部品の小型化を図った巻線部品が、特許文献１に開示されている（図６参照）。図６に示すように、１次側巻線（一般的にエナメル被服線等の単層絶縁電線）と２次側巻線（一般的に３層絶縁電線）が巻回される環状の巻線部３ａを形成する一対の鍔部３Ｃ，３Ｂが形成されたボビン３と第２の鍔部３Ｂの巻線部３ａと反対側に立設され、巻線部３ａから引き出された３層絶縁電線６の一端部が一方の鍔部３ｉ側面を沿うように引き出され、ピン４ではんだ固定されている。この場合、３層絶縁電線６をはんだ固定する際に、溶融した一部のはんだが、１次側巻線に向かって上昇する現象が起きる。この現象は、はんだ上がりと呼ばれる。ここでは、第２の鍔部３Ｂを伸長する構造を備え、第２の鍔部３Ｂとの間に溶融したはんだ上がりを防止する隙間を形成することで、１次側巻線との安全距離を確保し、高さ方向を小さくした縦型巻線部品を実現している。
【０００３】
最近、巻線部品が実装される機器の小型化に伴い、巻線部品の高さのみならず実装面積を小さくすることが要望されている。
【０００４】
【特許文献１】特許第３２９９１３６号公報
【発明の開示】
【発明が解決しようとする課題】
【０００５】
上述した特許文献１では、１次側巻線と３層絶縁電線６との溶融はんだ上がりの安全距離は、巻線部品の幅方向の寸法でのみ確保している。すなわち、３層絶縁電線６の溶融はんだ上がりと１次側巻線との安全距離を確保するために第２のの鍔部３Ｂのみを伸長する構造なので、基板実装面積を小さくするのに制約があるという問題点があった。
【０００６】
また、横型巻線部品では、コア５部分も溶融はんだ上がりの安全距離を確保する必要があるという問題点があった。
【０００７】
本発明は、上述した問題点を解決すべくなされたもので、その技術課題は、コア５と３層絶縁電線６との溶融はんだ上がりの安全距離を確保でき、高さが低く、実装面積が小さい巻線部品を提供することである。
【課題を解決するための手段】
【０００８】
上記目的を達成するための第１の発明は、電線（２）が巻回される環状の巻線部（３ａ）を挟んで対向する一対の鍔部（３Ｃ，３Ｂ）が形成されたボビン（３）と、前記一対の鍔部（３Ｃ，３Ｂ）を構成する第１の鍔部（３Ｃ）と第２の鍔部（３Ｂ）におけるそれぞれの上段部（３ｄ，３ｋ）と下段部（３ｅ，３ｂ）との間に介装されたコア（５）と、前記一対の鍔部（３Ｃ，３Ｂ）のそれぞれの下段部（３ｅ，３ｂ）の底面の中心側に立設されたピン（４）とを備え、前記巻線部（３ａ）から引き出された前記電線（２）の端部は、前記第１の鍔部（３Ｃ）の上段部（３ｄ）の上面から引き出され、前記第１の鍔部（３Ｃ）の上段部（３ｄ）の側面の上端へ橋絡し、前記第１の鍔部（３Ｃ）の下段部（３ｅ）の側面の上端へ橋絡して、前記第１の鍔部（３Ｃ）の下段部（３ｅ）の底面に立設されたピン（４）に固定され、複数の系統ごとに巻回された前記電線（２）のうち少なくとも１系統は３層絶縁電線（６）で構成された巻線部品において、前記ピン（４）を立設する方向に並行な部分と、該平行な部分と連続する前記ピン（４）を立設する方向に垂直な部分からなる逆Ｔ字型の下段島部（３ｌ）が前記第１の鍔部（３Ｃ）の下段部（３ｅ）に設けられ、前記第１の鍔部（３Ｃ）の下段部（３ｅ）の側面の上端の中央部から下端に通じる第１の溝（３ｆ）が前記第１の鍔部（３Ｃ）の下段部（３ｅ）の側面に設けられ、前記第１の溝（３ｆ）の沿線長は、前記第１の鍔部（３Ｃ）の下段部（３ｅ）の側面の上端から下端への垂線の長さより長くし、前記電線（２）が前記第１の溝（３ｆ）に沿って配線された巻線部品である。
【０００９】
上記目的を達成するための第２の発明は、前記第１の鍔部（３Ｃ）の下段部（３ｅ）の側面から前記溝（３ｆ）の底面への垂直直線の距離で定義される前記第１の溝（３ｆ）の深さは、前記３層絶縁電線（６）の直径より長くし、前記第１の鍔部（３Ｃ）の下段部（３ｅ）と前記下段島部（３ｌ）との間の距離で定義される前記第１の溝（３ｆ）の幅は、前記３層絶縁電線（６）の直径より長くした巻線部品である。
【００１０】
上記目的を達成するための第３の発明は、前記第１の鍔部（３Ｃ）の下段部（３ｅ）における下端の側面から前記第１の溝（３ｆ）の底面への垂直直線の距離で定義される前記第１の溝（３ｆ） の下端深さは、前記第１の鍔部（３Ｃ）の下段部（３ｅ）における上端の側面から前記第１の溝（３ｆ）の底面への垂直直線の距離で定義される前記第１の溝（３ｆ） の上端深さより長くした巻線部品である。
【００１１】
上記目的を達成するための第４の発明は、前記第１の鍔部（３Ｃ）の下段部（３ｅ）の前記コア（５）に近接する側面の上端にある中央部から前記第１の鍔部（３Ｃ）の下段部（３ｅ）の前記ピン（４）に近接する側面の下端の両側に向かう二つ以上の前記第１の溝（３ｆ）を前記第１の鍔部（３Ｃ）の下段部（３ｅ）の側面に斜設し、前記第１の鍔部（３Ｃ）の下段部（３ｅ）の側面の下端の両側にある前記第１の溝（３ｆ）の両中心点間の最短距離は、前記第１の鍔部（３Ｃ）の下段部（３ｅ）の下面にある２つの前記ピン（４）の立設された点間の最短距離より幅広にした巻線部品である。
【００１２】
上記目的を達成するための第５の発明は、前記コア（５）に近接する前記第１の鍔部（３Ｃ）の上段部（３ｄ）の側面にある第２の溝（３ｇ）の底面の高さと前記第１の鍔部（３Ｃ）の下段部（３ｅ）の側面にある前記第１の溝（３ｆ）の底面の高さは、前記コア（５）の側面の高さより高くし、前記コア（５）よりも前記３層絶縁電線（６）側に前記第１の鍔部（３Ｃ）の上段部（３ｄ）と下段部（３ｅ）を突出させた巻線部品である。
【００１３】
上記目的を達成するための第６の発明は、前記第１の鍔部（３Ｃ）の上段部（３ｄ）の側面から前記第２の溝（３ｇ）の底面への垂直直線の距離で定義される前記第２の溝（３ｇ） の深さは、前記３層絶縁電線（６）の直径より長くし、前記第１の鍔部（３Ｃ）の上段部（３ｄ）にある前記第２の溝（３ｇ）の底面の幅は、前記３層絶縁電線（６）の直径より長くした巻線部品である。
【００１４】
上記目的を達成するための第７の発明は、前記第１の鍔部（３Ｃ）の下段部（３ｅ）の側面の下端の両側にある前記第１の溝（３ｆ）と前記第１の鍔部（３Ｃ）の下段部（３ｅ）の下面にある２つの前記ピン（４）とを連結する第３の溝（３ｈ）を前記第１の鍔部（３Ｃ）の下段部（３ｅ）の下面に刻設した巻線部品である。
【００１５】
上記目的を達成するための第８の発明は、２つの前記ピン（４）の立設された点間の最短距離より前記第１の鍔部（３Ｃ）の下段部（３ｅ）の側面の下端の両側にある前記第１の溝（３ｆ）の両中心点間の最短距離を幅広にして、前記第１の鍔部（３Ｃ）の下段部（３ｅ）の下面に２つの前記ピン（４）を立設した巻線部品である。
【００１６】
上記目的を達成するための第９の発明は、前記第１の鍔部（３Ｃ）の下段部（３ｅ）の下面の前記第３の溝（３ｈ）のない側に前記ピン（４）を凹設する突起部(3j)を突出させ、前記３層絶縁電線（６）が３タイプの前記第２の溝（３ｇ）、前記第１の溝（３ｆ）、前記第３の溝（３ｈ）を通り、前記ピン（４）に固定させた巻線部品である。
【発明の効果】
【００１７】
本発明によれば、環状の巻線部（３ａ）から引き出された前記電線（２）の端部は、第１の鍔部（３Ｃ）の上段部（３ｄ）の上面から引き出され、第１の鍔部（３Ｃ）の上段部（３ｄ）の側面の上端へ橋絡し、第１の鍔部（３Ｃ）の下段部（３ｅ）の側面の上端へ橋絡して、第１の鍔部（３Ｃ）の下段部（３ｅ）の底面に立設されたピン（４）に固定され、第１の鍔部（３Ｃ）の下段部（３ｅ）の側面の上端から下端に通じる第１の溝（３ｆ）が第１の鍔部（３Ｃ）の下段部（３ｅ）の側面に設けられ、第１の溝（３ｆ）の沿線長は、第１の鍔部（３Ｃ）の下段部（３ｅ）の側面の上端から下端への垂線の長さより長くし、電線（２）を第１の溝（３ｆ）に沿って配線させることで、３層絶縁電線６の溶融はんだ上がりとコア(5)との沿面距離をより長くできる。
【００１８】
また、３層絶縁電線(6)の直径より第１の溝（３ｆ） の深さを長くし、３層絶縁電線(６)の直径より第１の溝（３ｆ） の幅を長くし、３層絶縁電線(６)の直径より第２の溝（３ｇ） の深さを長くし、３層絶縁電線(６)の直径より第２の溝（３ｇ）の底面の幅を長くすることで、３層絶縁電線(6)よりも深い第１の溝（３ｆ）および第２の溝（３ｇ）を構成でき、３層絶縁電線(6)に傷がつきにくい構造を実現できる。
【００１９】
更に、第１の溝（３ｆ） の下端深さは、第１の溝（３ｆ） の上端深さより長くし、第１の鍔部（３Ｃ）の下段部（３ｅ）のコア(５)に近接する側面の上端にある中央部から第１の鍔部（３Ｃ）の下段部（３ｅ）のピン（４）に近接する側面の下端に第１の溝（３ｆ）を斜設し、第１の溝（３ｆ）の両中心点間の最短距離は、第１の鍔部（３Ｃ）の下段部（３ｅ）の下面にある２つのピン（４）の立設された点間の最短距離より幅広にして、第１の鍔部（３Ｃ）の下段部（３ｅ）の下面に２つのピン（４）を立設し、第１の溝（３ｆ）と第１の鍔部（３Ｃ）の下段部（３ｅ）の下面にある２つのピン（４）とを連結する第３の溝(3h)を第１の鍔部（３Ｃ）の下段部（３ｅ）の下面に刻設することで、第１の溝（３ｆ）に段差をつけ、３層絶縁電線(6)が通る第１の溝（３ｆ）、第３の溝(3h)を斜設することで、３層絶縁電線(6)の総沿面距離をより長くできる。その結果、３層絶縁電線６の溶融はんだ上がりと１次側巻線との沿面距離をより長くでき、溶融はんだ上がりの安全距離を容易に確保でき、高さが小さくかつ実装面積も小さい巻線部品の構造を実現できる。また、３層絶縁線(6)が３タイプの第２の溝（３ｇ）、第１の溝（３ｆ）、第３の溝(3h) を通す構造になるので、巻線部品の横方向の寸法も小さくできる。
【００２０】
また、第２の溝（３ｇ）の底面の高さと第１の溝（３ｆ）の底面の高さは、コア(５)の側面の高さより高くし、コア(５)よりも３層絶縁電線(６)側に第１の鍔部（３Ｃ）の上段部（３ｄ）と下段部（３ｅ）を突出させることで、コア(5)側面よりも高い位置に３層絶縁電線(６)を張ることを可能にし、コア(５)と３層絶縁電線(６)が接触しない構造を実現できる。
【００２１】
更に、第３の溝(３ｈ)のない側にピン（４）を凹設する突起部(３ｊ)を突出させることで、実装基板への位置決めガイドの役割を果たすとともに、溶融はんだがコア(5)や巻線（３ａ）に流れ落ちて、ショート、断線等の問題を起こすのを回避できる。
【００２２】
以上の結果、コア５と３層絶縁電線６との溶融はんだ上がりの安全距離を確保でき、高さが低く、実装面積が小さい巻線部品の提供が可能になる。
【発明を実施するための最良の形態】
【００２３】
本発明を実施するための最良の形態に係る巻線部品を以下に図面を参照にして詳細に説明する。
【００２４】
図１は、本発明の巻線部品の断面を示す正面図および側面図である。図１（ａ）は、正面図で、図１（ｂ）は、側面図である。図２は、図１（ｂ）におけるコアと溶融はんだ部との安全距離を説明する図である。図３は、図２のＡ−Ａ'断面図におけるコアと溶融はんだ部との安全距離を説明する図である。図４は、比較例の巻線部品の断面を示す側面図におけるコアと溶融はんだ部との安全距離を説明する図である。図５は、図４のＡ−Ａ'断面図におけるコアと溶融はんだ部との安全距離を説明する図である。
【００２５】
図１から図５に示されるように、本発明を実施するための最良の形態における巻線部品１は、電線２が巻回される環状の巻線部３ａを挟んで対向する一対の鍔部３Ｃ、３Ｂが形成されたボビン３と、一対の鍔部３Ｃ,３Ｂを構成する第１の鍔部３Ｃと第２の鍔部３Ｂにおけるそれぞれの上段部３ｄ,３ｋと下段部３ｅ,３ｂとの間に介装されたコア５と、一対の鍔部３Ｃ,３Ｂのそれぞれの下段部３ｅ,３ｂの底面に立設されたピン４とを備え、環状の巻線部３ａから引き出された電線２の端部は、第１の鍔部３Ｃの上段部３ｄの上面から引き出され、第１の鍔部３Ｃの上段部３ｄの側面の上端へ橋絡し、第１の鍔部３Ｃの下段部３ｅの側面の上端へ橋絡して、第１の鍔部３Ｃの下段部３ｅの底面に立設されたピン４に固定され、複数の系統ごとに巻回された電線２のうち少なくとも１系統は３層絶縁電線６で構成された巻線部品である。第１の鍔部３Ｃの下段部３ｅの側面の上端から下端に通じる第１の溝３ｆが第１の鍔部３Ｃの下段部３ｅの側面に設けられ、第１の溝３ｆの沿線長は、第１の鍔部３Ｃの下段部３ｅの側面の上端から下端への垂線の長さより長くし、電線２を第１の溝３ｆに沿って配線させることで、３層絶縁電線６の溶融はんだ上がり部とコア５との沿面距離をより長くできる。
【００２６】
その結果、３層絶縁電線６の溶融はんだ上がり部とコア５との溶融はんだ上がりの安全距離を容易に確保でき、高さが小さくかつ実装面積も小さい巻線部品の構造を実現できる。
【００２７】
ここでは、３層絶縁電線６が第１の鍔部３Ｃの上段部３ｄ近傍から引き出され、３タイプの第２の溝３ｇ、第１の溝３ｆ、第３の溝３ｈを通って、ピン４に絡げられる。この絡げられる部分は、はんだによって固着される。なお、第１の鍔部３Ｃと第２の鍔部３Ｂに挟まれるように巻線部３ａがあり、１次側巻線と２次側巻線が巻かれている。１次側巻線は、第２の鍔部３Ｂのピン４に固定され、２次側巻線は、第１の鍔部３Ｃのピン４に固定されている。更に、巻線部３ａの中心部ならびに外周部に連続した磁路を形成する一対のE型形状のコア５が装着されている。本発明を実施するための最良の形態では、コア５にフェライトコアを用いている。コアを形成する材料は、磁性材料で用途に応じた特性にあわせて選択すれば良い。
【００２８】
なお、ボビン３のピン４が設けられていない第１の鍔部３Ｃにボビン３に対する巻終わり部分を位置させる。その後、３層絶縁電線６は、第１の鍔部３Ｃの上段部３ｄの側面にある第２の溝３ｇを通り、第１の鍔部３Ｃの下段部３ｅのコア５に近接する側面の上端にある中央部から第１の鍔部３Ｃの下段部３ｅのピン４に近接する側面の下端の両側に向かう二つの第１の溝３ｆを通り、第１の鍔部３Ｃの下段部３ｅの下面にある２つのピン４とを連結する第３の溝３ｈを通り、ピン４へ向けて配線し、このピン４に絡げることで仮止めされる。
【００２９】
仮止め後、ピン４は溶融はんだの浴槽内に浸され、３層絶縁電線６が絡げられた部分にはんだ付け処理を行い、３層絶縁電線６の絶縁被覆層を除去し、導体部分を露出させ、露出した導体部分とピン４とを電気的に接続させて、固定する。
【００３０】
なお、本発明を実施するための最良の形態では、２本の３層絶縁電線６を有するので、第１の鍔部３Ｃの下段部３ｅのコア５に近接する側面の上端の中央部から、第１の鍔部３Ｃの下段部３ｅのピン４に近接する側面の下端の両側に向かうように、第１の鍔部３Ｃの下段部３ｅの側面に二つの第１の溝３ｆを斜設している。また、第１の溝３ｆに這わせた３層絶縁電線６が、第１の鍔部３Ｃの下段部３ｅのコア５に近接する側面の上端から第１の鍔部３Ｃの下段部３ｅのピン４まで最短距離にならないように斜めの第１の溝３ｆを設けている。
【００３１】
より具体的に説明すると、第１の鍔部３Ｃの下段部３ｅの側面の上端の中央付近から第１の溝３ｆが斜設されている。すなわち、第１の溝３ｆを設けている側面に隣接する下面にむかって、第１の鍔部３Ｃの下段部３ｅにおける側面の下端の両側に近づくように第１の溝３ｆが連続して形成される。また、第１の鍔部３Ｃの下段部３ｅにおける側面の下端で、第１の鍔部３Ｃの下段部３ｅの下面に設けられた第３の溝３ｈと連続してつながるように形成される。更に、第１の鍔部３Ｃの下段部３ｅにおける側面の下端で第１の溝３ｆが形成されている位置よりも、第１の鍔部３Ｃの下段部３ｅの下面に設けられたピン４は、第１の鍔部３Ｃの下段部３ｅにおける下面の中心側に位置させる。第１の溝３ｆ、第３の溝３ｈを設けることにより、第１の鍔部３Ｃの下段部３ｅの下面に設けられたピン４と３層絶縁電線６との仮止め部分をはんだの浴槽に浸漬する際に、はんだが３層絶縁電線６の表面被覆を溶かしながら這い上がっても、コア５とはんだ上がり部との沿面距離を十分に確保できる。
【００３２】
また、第１の溝３ｆの深さは、第１の鍔部３Ｃの下段部３ｅの側面の上端よりも、第１の鍔部３Ｃの下段部３ｅにおける側面の下端側の方が深くなるように形成している。第１の溝３ｆの上端側、下端側の溝の深さは、３層絶縁電線６の直径より長くしている。より具体的に説明すると、第１の鍔部３Ｃの下段部３ｅの側面の上端における第１の溝３ｆの始まりである中央付近の溝の深さよりも、斜設された第１の溝３ｆを深くしている。斜設された第１の溝３ｆを深くすることで、１次巻線とはんだ上がり部との沿面距離を十分に確保できる。
【００３３】
なお、第２の溝３ｇの底面の高さと第１の溝３ｆの底面の高さは、コア５の側面の高さより高くし、コア５よりも３層絶縁電線６側に第１の鍔部３Ｃの上段部３ｄと下段部３ｅを突出させることで、コア５側面よりも高い位置に３層絶縁電線６を張ることを可能にし、コア５と３層絶縁電線６が接触しないで、３層絶縁電線６を略直線になるように橋絡させる構造を実現できる。
【００３４】
また、第１の鍔部３Ｃの下段部３ｅの側面にある第１の溝３ｆと第１の鍔部３Ｃの下段部３ｅの下面にある２つのピン４とを連結する第３の溝３ｈを刻設するのは、同一形状において３層絶縁電線６の沿面距離をより長くとるためである。更に、ピン４を凹設する突起部３ｊをピン４の溝３ｈのない側に突出させるのは、溶融はんだがコア５や巻線部３ａに流れ落ちて、ショート、断線等の問題を避け、３層絶縁電線６を保護するためである。
【００３５】
図２に示されるように、溶融はんだ上がり部分は、３層絶縁電線６のピン４と電気的に接続させて、固定する部分から、３層絶縁電線６の表面上に沿って進む。すなわち、３層絶縁電線６のはんだ付け処理で絶縁被覆層が除去された溶融はんだ部１１とコア５との安全距離は、斜めにした沿面距離（図２中のコア５と溶融はんだ部１１の絶縁距離(1)＝ｃ＋ｂ＋ａ）に対応し、図４と図５で示されるような直線の沿面距離（図５中のコア５と溶融はんだ部の絶縁距離３＝ｃ'＋ｂ'）と比較される。図２と図３で示される本発明の方が、同一形状で比較した場合により長い安全距離を確保できる。図３と図５の比較では、ｆ＝ｆ'の時に、ａ＋ｂ＞ｂ'になり、その差分だけ長くできる。その結果、本発明の場合は、同一形状の場合に絶縁をより比較例より強化できる。
【００３６】
また、３層絶縁電線６は、第１の鍔部３Ｃの上段部３ｄの側面にある第２の溝３ｇを通り、第１の鍔部３Ｃの下段部３ｅのコア５に近接する側面の上端にある中央部から第１の鍔部３Ｃの下段部３ｅのピン４に近接する側面の下端の両側に向かう二つの第１の溝３ｆを通り、第１の鍔部３Ｃの下段部３ｅの下面にある２つのピン４とを連結する第３の溝３ｈを通る構造なので、第１の鍔部３Ｃの内側に３層絶縁電線６を収納でき、巻線部品１０を３層絶縁電線６の厚みに相当する幅だけ幅方向に小さくできる。
【実施例】
【００３７】
本発明の実施例について、上述した図面を用いて詳細に説明する。
【００３８】
本発明の実施例の巻線部品１は、図１、図２、図３、図４、図５に示されるような構造で、約２０ｍｍ×２０ｍｍ×２０ｍｍの寸法を実現した。本発明の実施例の巻線部品１では、環状の巻線部３ａから引き出された前記電線２の端部は、第１の鍔部３Ｃの上段部３ｄの上面から引き出され、第１の鍔部３Ｃの上段部３ｄの側面の上端へ橋絡し、第１の鍔部３Ｃの下段部３ｅの側面の上端へ橋絡して、第１の鍔部３Ｃの下段部３ｅの底面に立設されたピン４に固定され、第１の鍔部３Ｃの下段部３ｅの側面の上端から下端に通じる第１の溝３ｆが第１の鍔部３Ｃの下段部３ｅの側面に設けられ、第１の溝３ｆの沿線長は、第１の鍔部３Ｃの下段部３ｅの側面の上端から下端への垂線の長さより長くし、電線２を第１の溝３ｆに沿って配線させることで、３層絶縁電線６の溶融はんだ上がりとコア５との沿面距離をより長くできた。
【００３９】
なお、本発明の実施例の巻線部品１では、第１の鍔部３Ｃは、上段部３ｄと下段部３ｅで構成され、第２の鍔部３Ｂは、上段部３ｋと下段部３ｂで構成される。コア５は、フェライトコアを用いた。環状の巻線部３ａは、１次側巻線（エナメル被服線等の単層絶縁電線）と２次側巻線（３層絶縁電線）が巻回される構造であった。
【００４０】
また、３層絶縁電線６の直径より第１の溝３ｆの深さを長くし、３層絶縁電線６の直径より第１の溝３ｆの幅を長くし、３層絶縁電線６の直径より第２の溝３ｇの深さを長くし、３層絶縁電線６の直径より第２の溝３ｇの底面の幅を長くすることで、３層絶縁電線６よりも深い第１の溝３ｆおよび第２の溝３ｇを構成でき、３層絶縁電線６に傷がつきにくい構造を実現した。
【００４１】
更に、第１の溝３ｆの下端深さは、第１の溝３ｆの上端深さより長くし、第１の鍔部３Ｃの下段部３ｅのコア５に近接する側面の上端にある中央部から第１の鍔部３Ｃのピン４に近接する下段部３ｅの側面に第１の溝３ｆを斜設し、第１の溝３ｆの両中心点間の最短距離は、第１の鍔部３Ｃの下段部３ｅの下面にある２つのピン４の立設された点間の最短距離より幅広にして、第１の鍔部３Ｃの下段部３ｅの下面に２つのピン４を立設し、第１の溝３ｆと第１の鍔部３Ｃの下段部３ｅの下面にある２つのピン４とを連結する第３の溝３ｈを第１の鍔部３Ｃの下段部３ｅの下面に刻設することで、第１の溝３ｆに段差をつけ、３層絶縁電線６が通る第１の溝３ｆ、第３の溝３ｈを斜設することで、３層絶縁電線６の総沿面距離をより長くできる。その結果、３層絶縁電線６の溶融はんだ上がりと１次側巻線との沿面距離をより長くでき、溶融はんだ上がりの安全距離を容易に確保でき、高さが小さくかつ実装面積も小さい巻線部品の構造を実現できた。また、３層絶縁線６が３タイプの第２の溝３ｇ、第１の溝３ｆ、第３の溝３ｈ を通す構造になるので、巻線部品の横方向の寸法も小さくできた。
【００４２】
また、第２の溝３ｇの底面の高さと第１の溝３ｆの底面の高さは、コア５の側面の高さより高くし、コア５よりも３層絶縁電線６側に第１の鍔部３Ｃの上段部３ｄと下段部３ｅを突出させることで、コア５側面よりも高い位置に３層絶縁電線６を張ることを可能にし、コア５と３層絶縁電線６が接触しない構造を実現できた。
【００４３】
更に、第３の溝３ｈのない側にピン４を凹設する突起部３ｊを突出させることで、実装基板への位置決めガイドの役割を果たし、溶融はんだがコア５や巻線３ａに流れ落ちて、ショート、断線等の問題を起こさなかった。
【００４４】
なお、本実施例はあくまでも一例を記載しているのみで、例えば、コア５にフェライトコアを用いているが、コアを形成する材料は、磁性材料で用途に応じた特性に合わせて選択すれば良く、その他の材料についても適切な材料を選択すれば良い。
【００４５】
また、溝、ピン、電線については、１組のみの例を説明しているが、３層絶縁電線６が、２本であれば同様の第１の溝３ｆを２本斜設すれば良く、ｎ本ならば、同様の第１の溝３ｆをｎ本斜設すれば良いなど、それぞれ複数設けても本発明の主旨を損なうものではない。なお、第１の溝３ｆが一つの場合は、片極の電線しか這わすことができないので、２本以上に限定している。
【００４６】
以上に示したように、コア５と３層絶縁電線６との溶融はんだ上がりの安全距離を確保でき、高さが低く、実装面積が小さい巻線部品の提供が可能になる。
【図面の簡単な説明】
【００４７】
【図１】本発明の巻線部品の断面を示す正面図および側面図。図１（ａ）は、正面図。図１（ｂ）は、側面図。
【図２】図１（ｂ）におけるコアと溶融はんだ部との安全距離を説明する図。
【図３】図２のＡ−Ａ'  断面図におけるコアと溶融はんだ部との安全距離を説明する図。
【図４】比較例の巻線部品の断面を示す側面図におけるコアと溶融はんだ部との安全距離を説明する図。
【図５】図５は、図４のＡ−Ａ'  断面図におけるコアと溶融はんだ部との安全距離を説明する図。
【図６】従来の縦型巻線部品の小型化を図った巻線部品を示す正面断面図。
【符号の説明】
【００４８】
１，１０    巻線部品
２    電線
３    ボビン
３ａ   巻線部
３Ｂ   第２の鍔部
３Ｃ   第１の鍔部
３ｄ   第１の鍔部の上段部
３ｅ   第１の鍔部の下段部
３ｌ   第１の鍔部の下段島部
３ｋ   第２の鍔部の上段部
３ｂ   第２の鍔部の下段部
３ｆ   第１の溝
３ｇ   第２の溝
３ｈ   第３の溝
３ｉ   一方の鍔部
３ｊ  ピンを凹設する突起部
４      ピン
５      コア
６      ３層絶縁電線
１１    溶融はんだ部
１２    １次側巻線
１３    ２次側巻線
【図１】
0004632364.tif 000002
【図２】
0004632364.tif 000003
【図３】
0004632364.tif 000004
【図４】
0004632364.tif 000005
【図５】
0004632364.tif 000006
【図６】
0004632364.tif 000007